(57)【要約】【課題】乗客コンベアの特にインナーローラタイプの踏段チェーンの異常をより正確に検出する乗客コンベアの異常検出装置等を提供する。【解決手段】複数の踏段ローラがローラ軸のリンクプレートにより順番に結合されて、乗客コンベアの両端の反転部の間で、無端状に連結された踏段チェーンに対して、前記両端の反転部の一方または両方において、前記踏段ローラの、前記ローラ軸以外から自重による鉛直方向位置の変化に影響を与える力を受けない位置で、自重による鉛直方向位置の変化を検出する検出装置を備えた乗客コンベアの異常検出装置とする。【選択図】図３
2016216138.tif 000002
【特許請求の範囲】
【請求項１】
複数の踏段ローラがローラ軸のリンクプレートにより順番に結合されて、乗客コンベアの両端の反転部の間で、無端状に連結された踏段チェーンに対して、前記両端の反転部の一方または両方において、前記踏段ローラの、前記ローラ軸以外から自重による鉛直方向位置の変化に影響を与える力を受けない位置で、自重による鉛直方向位置の変化を検出する検出装置を備えた乗客コンベアの異常検出装置。
【請求項２】
前記検出装置が、前記反転部の踏段スプロケットまたは反転レールの下側における前記変化を検出する、請求項１に記載の乗客コンベアの異常検出装置。
【請求項３】
前記乗客コンベアの一対の前記踏段チェーンのそれぞれに前記検出装置を設けた、請求項１または２に記載の乗客コンベアの異常検出装置。
【請求項４】
前記検出装置が、水平方向から予め設定された検出距離レンジ内の前記踏段ローラの有無を測定する、請求項１から３までのいずれか１項に記載の乗客コンベアの異常検出装置。
【請求項５】
前記検出装置が、鉛直方向の下方側から予め設定された検出距離レンジ内の前記踏段ローラの有無を測定する、請求項１から３までのいずれか１項に記載の乗客コンベアの異常検出装置。
【請求項６】
複数の踏段ローラがローラ軸の間がリンクプレートにより順番に結合されて、乗客コンベアの両端の反転部の間で、無端状に連結された踏段チェーンに対して、前記両端の反転部の一方または両方において、前記踏段ローラの、前記ローラ軸以外から自重による鉛直方向位置の変化に影響を与える力を受けない位置で、自重による鉛直方向位置の変化を検出する、乗客コンベアの異常検出方法。
【発明の詳細な説明】
【技術分野】
【０００１】
この発明は、乗客コンベアの異常検出装置および乗客コンベアの異常検出方法に関する。
【背景技術】
【０００２】
従来のこの種の乗客コンベアの異常検出装置では、接触式または非接触式の検出センサをスプロケットの外周部から径方向に間に隙間をあけて設けている。チェーンが摩耗して伸びが生じると、スプロケットに巻き掛けられたチェーンの軌道半径が大きくなり外側に膨らむ。そこで検出センサでチェーンの軌道を検出し、チェーンが予め設定された円周軌道から逸脱した場合に、異常を検出する構成となっている(例えば下記特許文献１参照)。
【先行技術文献】
【特許文献】
【０００３】
【特許文献１】特開２０１１−１７３７１９号公報
【発明の概要】
【発明が解決しようとする課題】
【０００４】
上記のように構成された検出装置では、運転方向によるチェーンの張り側とゆるみ側や、チェーンの伸び状況によって、チェーンの軌道の膨らむ箇所が変わり一定ではないことがある。このため、正確に異常を検出できない場合がある。
チェーンが伸びると、チェーンがスプロケットの歯と正しくかみ合わなくなる。このような場合、チェーンがスプロケットの歯の上を滑り上っていくが、センサの設置位置によってはチェーンの軌道変化による膨らみを検出できず、軸受破損に係るインナーローラタイプの踏段チェーンの異常も検出できない可能性がある。インナーローラタイプの踏段チェーンとは、複数の踏段ローラがローラ軸の両側側面のリンクプレートで順次連結された形式のものである。
なお、踏段チェーンにはバネにより常に張力が掛かっているので、チェーンの伸びによって、スプロケット等の、チェーン軌道の反転部での外周軌道の膨らみは発生しづらく、上記従来の技術で踏段チェーンの伸びを検出するのは難しいと思われる。
【０００５】
この発明は、上記の課題を解決するためになされたものであり、乗客コンベアの特にインナーローラタイプの踏段チェーンの異常をより正確に検出する乗客コンベアの異常検出装置等を提供することを目的とする。
【課題を解決するための手段】
【０００６】
この発明は、複数の踏段ローラがローラ軸のリンクプレートにより順番に結合されて、乗客コンベアの両端の反転部の間で、無端状に連結された踏段チェーンに対して、前記両端の反転部の一方または両方において、前記踏段ローラの、前記ローラ軸以外から自重による鉛直方向位置の変化に影響を与える力を受けない位置で、自重による鉛直方向位置の変化を検出する検出装置を備えた乗客コンベアの異常検出装置等にある。
【発明の効果】
【０００７】
この発明では、乗客コンベアの特にインナーローラタイプの踏段チェーンの異常をより正確に検出する乗客コンベアの異常検出装置等を提供できる。
【図面の簡単な説明】
【０００８】
【図１】この発明の一実施の形態による乗客コンベアの異常検出装置を適用する乗客コンベアの全体側面図である。
【図２】図１の踏段チェーンの拡大斜視図である。
【図３】図１の踏段スプロケットの側面図である。
【図４】図３の矢印Ａから見た検出装置付近の拡大図である。
【図５】図１の下部反転部での側面図である。
【図６】図５の矢印Ａから見た検出装置付近の拡大図である。
【図７】この発明の一実施の形態による乗客コンベアの異常検出装置の制御系の一例の構成図である。
【発明を実施するための形態】
【０００９】
この発明では、インナーローラタイプの踏段チェーンにおいて、踏段チェーンに連なって設けられている踏段ローラの軸受が破損するとローラが正常時より下側を通ることを検出することで、インナーローラタイプの踏段チェーンのローラの軸受破損等の異常を容易に判別でき、チェーンやローラの損傷の拡大防止や保守性向上が図れる。
【００１０】
以下、この発明による乗客コンベアの異常検出装置等を各実施の形態に従って図面を用いて説明する。なお、同一もしくは相当部分は同一符号で示し、重複する説明は省略する。
【００１１】
実施の形態１．
図１はこの発明の一実施の形態による乗客コンベアの異常検出装置を適用する乗客コンベアの全体側面図である。図１では概略、制御盤２により駆動機３が運転制御される。上部反転部７ａにある駆動機３によって回動する踏段スプロケット４に巻き掛けられた無端状の踏段チェーン５を介して同じく無端状の踏段６が、トラス１の上部反転部７ａと下部反転部７ｂの間で循環駆動される。同じく無端状の移動手摺９は、踏段６に同期して、欄干８の周囲を循環駆動される。バネ５０は踏段チェーン５に張力を与える。
【００１２】
図２は図１の踏段チェーン５の拡大斜視図である。図２において、踏段チェーン５は、踏段ローラ５ａを有し、リンクプレート５ｂとローラ軸５ｃにより無端状に連結されている。予め設定されたピッチ間隔で踏段ローラ５ａのローラ軸５ｃと係合するようにステップ軸５ｄが取付けられている。そしてこれらのステップ軸５ｄに踏段６が取付けられる。踏段６は、踏段チェーン５の踏段ローラ５ａがレール１０上を走行することで移動する。
【００１３】
図３は図１の踏段スプロケット４の側面図、図４は図３の矢印Ａから見た検出装置付近の拡大図で(ａ)が正常時、(ｂ)が異常時の状態をそれぞれ示す。図３において、踏段チェーン５が矢印Ｄの方向に運転されている場合、踏段チェーン５は、踏段ローラ５ａが往路レール１０ａ上を走行した後、踏段スプロケット４に乗り移り、踏段スプロケット４の歯と踏段ローラ５ａが噛み合って反転動作を行う。踏段スプロケット４を抜けると、踏段ローラ５ａが帰路レール１０ｂ上に乗り移る。
【００１４】
このとき、踏段スプロケット４の下側で、帰路レール１０ｂの近傍にローラの変位を検出する検出装置１１を備える。
検出装置１１は、トラス１又は帰路レール１０ｂに設置された土台(図示しない)に配置された非接触式センサ(１１)で構成されている。センサ(１１)は例えば、光電センサや超音波センサ等からなり、予め設定された水平方向に長い検出距離レンジを有し、踏段ローラ５ａが正常に走行している時は、踏段ローラ５ａの鉛直方向の最下部が検出距離レンジに入らず、踏段ローラ５ａを検出しない位置に備えられる。図３の例えば点線Ｂが、正常に走行している時の踏段ローラ５ａの外周部の軌道を示す。正常時の踏段ローラ５ａの矢印Ａから見た状態が図４の(ａ)である。
ここで、踏段ローラ５ａの軸受部に破損などの異常が発生し、ローラ軸５ｃが踏段ローラ５ａの中心を維持できなくなってしまった場合に、踏段ローラ５ａは踏段スプロケット４の下側でなおかつ帰路レール１０ｂ上にない場合に、重力により垂れ下がった状態になり、通常の軌道から逸脱し、図３の点線Ｂの軌道の外側へ膨らみ、図４の(ｂ)に示すように下側に落ち込む。この踏段ローラ５ａの変位を異常としてセンサ(１１)で検出する。
【００１５】
図５は図１の下部反転部７ｂでの側面図、図６は図５の矢印Ａから見た検出装置付近の拡大図を示す。図５のように、下部反転部７ｂにおいても同様に構成することが可能である。踏段チェーン５が矢印Ｄの方向に運転されている場合、踏段チェーン５は、踏段ローラ５ａが帰路レール１０ｂ上を走行した後、反転レール１０ｃに乗り移り、往路側へ反転動作を行う。このとき、反転レール１０ｃの下側で、帰路レール１０ｂの近傍に踏段ローラ５ａの変位を検出する検出距離レンジを有する検出装置１１を備え、上記と同様に異常を検出する。
検出装置１１は、図６のように反転レール１０ｃの下側で例えば踏段ローラ５ａの下側に設置して、下側から踏段ローラ５ａの変位を検出する構成としてもよい。検出装置１１は鉛直方向に長い検出距離レンジを有し、踏段ローラ５ａが正常に走行している時は、踏段ローラ５ａの鉛直方向の最下部が検出距離レンジに入らず、踏段ローラ５ａを検出しない位置に備えられる。
【００１６】
また検出装置１１は、運転方向Ｄに沿った左右両側の一対の各々の踏段チェーン５に対して、上部反転部７ａの下側、下部反転部７ｂの下側のいずれか一方の合計２ヶ所、または、上部反転部７ａの下側および下部反転部７ｂの下側の両方の合計４ヶ所に設置してもよい。自重による踏段ローラ５ａの変位を検出するので、運転方向等に関係なく、踏段スプロケット４または反転レール１０ｃからなる上部反転部７ａ、下部反転部７ｂの下側に検出装置１１を設置すればよい。
【００１７】
図７は、この発明の一実施の形態による乗客コンベアの異常検出装置の制御系の一例の構成図である。図７のように、検出装置１１からの異常検出信号により例えば制御盤２からなる制御装置２ａを介して、警告発報部１３により、例えば遠隔監視盤に警告を発したり、または検出装置１１からの異常検出信号により制御装置２ａを介して、例えば駆動機３の制御を行う乗客コンベア駆動部３ａに信号を出力し、乗客コンベアを停止させる構成とする。
以上のように構成することで、踏段ローラの異常を即座に検出でき、踏段チェーンや踏段ローラの損傷の拡大防止や保守性向上が図れる。
【００１８】
なお、上記実施の形態においては、下部が反転レールの場合について説明したが、下部が上部と同様に踏段スプロケット構成の場合でも、同様に検出装置を設置することで、同様の効果を得ることができる。
また、上記実施の形態においては、上昇運転の場合について説明したが、下降運転の場合でも、同様に検出装置を設置することで、同様の効果を得ることができる。
また、上記実施の形態においては、踏み面が階段状のエスカレーターの場合について説明したが、踏み面が階段状にならない動く歩道の場合でも、チェーン構造が同じであれば、同様に検出装置を設置することで、同様の効果を得ることができる。
また、踏段ローラ５ａの上述の鉛直方向位置の変化の検出位置、すなわち検出装置１１の位置は構造上、上記実施の形態のように、両側の反転部７ａ，７ｂの、図１，３，５の符号Ｏで示す、踏段スプロケット４ならば回転軸位置、反転レール１０ｃならば円弧の中心位置となる、反転円の中心Ｏ間の外側で検出するのが望ましい。しかしながら検出位置は、踏段ローラ５ａがローラ軸５ｃ以外から自重による鉛直方向位置の変化に影響を与える力を受けない位置であればよく、反転円の中心間内側の、反転部の最下点と帰路レール１０ｂの端部の間に隙間があれば、検出装置１１を反転円の中心Ｏ間内側に設け、この反転部の最下点と帰路レール１０ｂの端部の間の隙間で上記検出を行ってもよい。
【００１９】
以上のことから、この発明による乗客コンベアの異常検出装置では、複数の踏段ローラ５ａがローラ軸５ｃの両側側面のリンクプレート５ｂによりそれぞれ順番に結合されて、乗客コンベアの両端の反転部７ａ，７ｂの間で、無端状に連結された踏段チェーン５に対して、両端の反転部７ａ，７ｂの一方または両方において、踏段ローラ５ａの、ローラ軸５ｃ以外から自重による鉛直方向位置の変化に影響を与える力を受けない位置で、自重による鉛直方向位置の変化を検出する検出装置１１を設けた。
検出装置１１は、反転部７ａ，７ｂの踏段スプロケット４の下側(図３)または反転レール１０ｃの下側(図５)における自重による鉛直方向位置の変化を検出する。
検出装置１１は、乗客コンベアの一対の踏段チェーン５のそれぞれに設けてもよい。
また検出装置１１は、図４に示すように水平方向から予め設定された検出距離レンジ内の踏段ローラ５ａの有無を測定する。
あるいは、検出装置１１は、図６に示すように鉛直方向の下方側から予め設定された検出距離レンジ内の踏段ローラ５ａの有無を測定する。
【符号の説明】
【００２０】
１  トラス、２  制御盤、２ａ  制御装置、３  駆動機、３ａ  乗客コンベア駆動部、
４  踏段スプロケット、５  踏段チェーン、５ａ  踏段ローラ、５ｂ  リンクプレート、
５ｃ  ローラ軸、５ｄ  ステップ軸、６  踏段、７ａ  上部反転部、７ｂ  下部反転部、
８  欄干、９  移動手摺、１０ａ  往路レール、１０ｂ  帰路レール、
１０ｃ  反転レール、１１  検出装置、１３  警告発報部、５０  バネ。
【図１】
2016216138.tif 000003
【図２】
2016216138.tif 000004
【図３】
2016216138.tif 000005
【図４】
2016216138.tif 000006
【図５】
2016216138.tif 000007
【図６】
2016216138.tif 000008
【図７】
2016216138.tif 000009